(57)【要約】【課題】  吸気口に付着したゴミを取り除いて、冷却空気が安定して得られ冷却が十分にできるようにする。【解決手段】  本体２と、被加熱物を加熱する加熱手段１１と、加熱手段１１を制御する制御回路１５０と、制御回路１５０を収納し本体２内に配置した基板ケース１４と、基板ケース１４内に冷却風を送風して制御回路１５０を冷却する送風ファン１２と、送風ファン１２に外気を供給するために本体２に開口した前下吸気口７ｓと、前下吸気口７ｓと送風ファン１２との間で連通した空間通路９０と、摺動して着脱可能に前下吸気口７ｓを覆うフィルタ８０とを備え、フィルタ８０には、前下吸気口７ｓ側に凸部８０ａを設け、摺動時に凸部８０ａが前下吸気口７ｓと当接するようにする。【選択図】  図８
2014142096.tif 000002
【特許請求の範囲】
【請求項１】
本体と、
被加熱物を加熱する加熱手段と、
該加熱手段を制御する制御回路と、
該制御回路を収納し前記本体内に配置した基板ケースと、
該基板ケース内に冷却風を送風して前記制御回路を冷却する送風ファンと、
前記本体の底面前側に開口し、前記送風ファンに外気を供給する前下吸気口と、
該前下吸気口と前記送風ファンとの間で連通した空間通路と、
着脱可能に摺動し、前記前下吸気口を覆うフィルタと、を備え、
該フィルタは、前記前下吸気口側に凸部を有しており、
前記フィルタの摺動時に、前記凸部が前記前下吸気口と当接することを特徴とする加熱調理器。
【請求項２】
請求項１に記載の加熱調理器において、
前記凸部は、前記フィルタの前後方向に複数並んで配置されていることを特徴とする加熱調理器。
【請求項３】
請求項２に記載の加熱調理器において、
前記凸部は、前記フィルタを装着したときに、前記前下吸気口の各孔の位置に対応する位置に設けられていることを特徴とする加熱調理器。
【発明の詳細な説明】
【技術分野】
【０００１】
本発明は、前側から吸気する加熱調理器に関するものである。
【背景技術】
【０００２】
特許文献１には、本体である外郭ケース底面に空気を本体内に取り込むための吸気口を備え、この吸気口にフィルタ部を設けた吸気口カバーと、吸気口カバーを外郭ケース底面にスライドして着脱する被摺動部とを設け、本体から吸気口カバーを容易に着脱できるものが記載されている。
【先行技術文献】
【特許文献】
【０００３】
【特許文献１】特開２０１１−１９２５７６号公報
【発明の概要】
【発明が解決しようとする課題】
【０００４】
しかし、特許文献１に示すものは、本体の前側から外郭ケースにスライドして取り付ける吸気口カバーは、吸気口カバーが本体底面の吸気口の真下に設けるので、吸気口に付着したゴミを取り除くことはできず、ゴミが積もることにより吸気口からの冷却空気が減って冷却が不十分になる問題があった。
【課題を解決するための手段】
【０００５】
本発明は、上記の問題を解決するためになされたものであり、本体と、被加熱物を加熱する加熱手段と、該加熱手段を制御する制御回路と、該制御回路を収納し前記本体内に配置した基板ケースと、該基板ケース内に冷却風を送風して前記制御回路を冷却する送風ファンと、前記本体の底面前側に開口し、前記送風ファンに外気を供給する前下吸気口と、該前下吸気口と前記送風ファンとの間で連通した空間通路と、着脱可能に摺動し、前記前下吸気口を覆うフィルタと、を備え、該フィルタは、前記前下吸気口側に凸部を有しており、前記フィルタの摺動時に、前記凸部が前記前下吸気口と当接するものである。
【発明の効果】
【０００６】
本発明によれば、吸気口に付着したゴミを取り除けることで、ゴミが積もることがなく吸気口から冷却空気が安定して得られ冷却が十分にできる。
【図面の簡単な説明】
【０００７】
【図１】一実施例に係る加熱調理器をキッチンキャビネットに収納した状態の斜視図。
【図２】図１のＡ−Ａ断面図。
【図３】一実施例に係る加熱調理器の本体底面の前下吸気口を示す斜視図。
【図４】一実施例に係る加熱調理器の本体底面の前下吸気口にフィルタを装着した状態を示す斜視図。
【図５】同加熱調理器の本体の空間通路の説明図。
【図６】同加熱調理器のフィルタを示す斜視図。
【図７】同加熱調理器のフィルタを示す図２のＢ−Ｂ断面図。
【図８】図４のフィルタを透過して示す拡大斜視図。
【発明を実施するための形態】
【０００８】
以下、本発明の実施例を図１から図８に従って説明する。
【０００９】
図１、図２において、加熱調理器の本体２は、キッチンキャビネット１の上面から落とし込んで設置され、設置後はオーブン（ロースター）４と操作部５と電源スイッチ１９がキッチンキャビネット１の前面部から操作できるようになっている。キッチンでは、キッチンキャビネット１に嵌め込んだ本体２の上方には換気装置等が設けられ、調理を行う時に動作させて水分を含む湯気や油煙などを室外へ排気して換気する。
【００１０】
被加熱物である調理鍋１００は、本体２の上面に配置され耐熱ガラス等からなるプレート３上に載置され、プレート３の周囲端面は、プレート枠２０によって保護されて被加熱物を載置する天板を成している。
【００１１】
プレート３には載置部６が描かれており、該載置部６に調理鍋を載置することにより調理可能となる。載置部６は、プレート３の上面手前の右に載置部右６ａ、左に載置部左６ｂが配置され、これら両載置部６ａ、６ｂ間の奥（中央後部）に載置部中央６ｃが配置されている。そして、プレート３の各載置部６の下部に位置し本体２内の上部に配置して、調理鍋１００を加熱するための加熱手段である加熱コイル１１が設置されている。載置部右６ａ、載置部左６ｂは各３ｋＷ、載置部中央６ｃは２ｋＷの誘導加熱の出力である。鉄、ステンレスだけでなく非磁性金属の調理鍋１００も誘導加熱するものでも良い。
【００１２】
また、プレート３の前面側には、上面操作部９とその奥側に位置する上面表示部１０が設けられている。上面操作部９は、主に加熱コイル１１の火力や加熱時間の設定を行い、上面表示部１０に前記上面操作部９にて設定された情報の表示を行う。
【００１３】
制御回路１５０は、加熱コイル１１に電源を供給するインバータ基板１５や、加熱コイル１１に供給する電源やオーブン４の加熱を制御する制御基板１３である。
【００１４】
本体２の内部には、発熱部品である加熱コイル１１や、制御回路１５０の電子部品を冷却するため、後述の吸気口７より吸い込んだ空気を本体２内に送風する冷却手段である送風ファン１２を制御回路１５０より後方に配置して設けている。送風ファン１２は本体２の右後部に配置している。送風ファン１２の吸込部１２ａは、後述する基板ケース１４の後方側で本体２の後方側に設けた後方空間５０に設けられている。後方空間５０は、この空間を構成している本体２の背面部２ｂには外気を吸引するために開口されている後吸気口７ａと、後述する空間通路９０を経て本体２前側に設けられている後述する前吸気口７ｂと、後述する空間通路９０を経て本体２の底面前方に開口した前下吸気口７ｓと、送風ファン１２の吹出し部１２ｂとが空間で結ばれ、他は略密閉空間を構成している。
【００１５】
そのため、送風ファン１２が動作すると、送風ファン１２の吸込部１２ａから後方空間５０内の空気を吸引して吹出し部１２ｂから排出して基板ケース１４内の制御基板１３に搭載されている電子部品を冷却する。後方空間５０内の空気が基板ケース１４に送風されると、後方空間５０の内部は負圧になり、後方空間５０と連通する後吸気口７ａと前吸気口７ｂと前下吸気口７ｓから外気を吸引する。
【００１６】
７は外気を本体２内に吸い込む吸気口で、本体２の背面部２ｂの右側に、送風ファン１２の駆動によって外気を吸引する一方の吸気口７である後吸気口７ａが設けられている。後吸気口７ａは背面部２ｂの垂直部２ｂ１と傾斜部２ｂ２に渡ってパンチング穴により細かい通気穴を設け、送風ファン１２の吸込部１２ａより後方に接近して設けられている。後吸気口７ａからは、キッチンキャビネット１内部の空気を吸気する。更に、他方の吸気口７が本体２前側の操作部ケース１７に設けられている前吸気口７ｂと本体２の底面前方に開口した前下吸気口７ｓとある。前吸気口７ｂと前下吸気口７ｓについては、詳細は後述する。
【００１７】
８は送風ファン１２により送風した空気を本体２内から排出する排気口である。本体２の制御回路１５０より上方後方で、プレート３の後方のプレート枠２０上面には、右側の排気口８ａと左側の排気口８ｂが設けられている。発熱部品である加熱コイル１１や制御回路１５０の電子部品を冷却した後の廃熱は、本体２に設けられたプレート３の後方のプレート枠２０の排気口８から上方へ排出する。左側の排気口８ｂからはオーブン４の廃熱も排出される。
【００１８】
１６は放熱フィンで、発熱する電子部品に取り付け、送風ファン１２から送風された風によって効率よく熱交換するためのものである。１４は基板ケースで、制御基板１３とインバータ基板１５を覆い、送風ファン１２から送風される風を効率よく制御基板１３とインバータ基板１５に送るためのものである。
【００１９】
また、操作部ケース１７の後方の基板ケース１４を切断して本体２の前側から見た断面を示した図５において、基板ケース１４の底面１４ａと本体２の底面２ａと、基板ケース１４の底面１４ａ外側と本体２の底面２ａとの間に空間を設けるために２個の仕切り板１４ｂを隔てて設けた空間通路９０が構成されている。この空間通路９０は、前吸気口７ｂと前下吸気口７ｓから吸引した空気を後方空間５０に導く風路である。
【００２０】
再び図１、図２において、１３は制御基板で、設定された調理条件（火力や加熱時間）に応じて加熱コイル１１に供給する電源や後述するオーブン４の加熱部（図示無し）を制御するものである。
【００２１】
本体２の前面左側に配置された、オーブン４は、魚や肉、ピザ等の被加熱物を焼くためのもので、開口部はドア４ａで塞がれる。なお、本実施例ではオーブン４を本体２の前面左側に設けたが、前面右側に設ける構成としても良い。また、オーブンは、呼び名としてロースター、グリルと呼ぶこともある。
【００２２】
オーブン４の隣側には、電源スイッチ１９とその下方に主にオーブン４の調理条件を設定する操作部５が設けられている。操作部５はカンガルー式に回動して開閉して本体２前面内側に収納する。
【００２３】
次に図２〜図３を用いて前吸気口７ｂについて説明する。図３は、本体２底面を前側下から仰ぎ見た斜視図である。
【００２４】
本体２底面２ａの前方の操作部５を収納している下部に、前吸気口７ｂが設けられている。前吸気口７ｂは横に間口が広く下向きに開口し複数の桟を有している。前吸気口７ｂは連通口１７ｅを経て空気通路９０に連通している。複数の桟は、紙屑など大きなゴミや割り箸など異物を差込んだり、指が入ったりすることを防止する。更に、キッチンキャビネット１の前面から見て前吸気口７ｂに吸気によって付着する埃を確認でき、掃除できるものである。
【００２５】
次に図２〜図３を用いて前下吸気口７ｓについて説明する。前下吸気口７ｓは、底面２ａの前記した前吸気口７ｂの後方に最前側穴７ｓｇから最後側穴７ｓｆまでの間に穴配置奥行きＭ（図８）の範囲で略正方形の範囲に渡ってパンチング穴により細かい通気穴を設けている。補強ビード２ａ１の左右に２つ配置する。前下吸気口７ｓは空気通路９０に連通して、前下吸気口７ｓからは、キッチンキャビネット１内部の１ｃ前面から流れる比較的外気に近い空気を吸気する。
【００２６】
本体２の底面２ａの右側は、送風ファン１２に流す空気の通る空間通路９０の断面積を広くして抵抗を少なくするために、補強ビード２ａ１は、幅方向でなく奥行き方向に伸びる形状として外側に凸形状となるように限定して設けている。
【００２７】
空間通路９０が設けられた位置は、本体２の中で１番温度上昇の少ない箇所であり、本体２前から吸引した冷却用の空気の温度を無駄に加温されること無く後方空間５０まで導くことが可能である。また、冷却風を基板ケース１４の底面１４ａに沿って流すことで、基板ケース１４内の温度上昇を和らげる働きもある。空間風路９０は、基板ケース１４の底面１４ａと、基板ケース１４の底面１４ａに設けられた仕切り板１４ｂと本体２の底面２ａに囲まれて構成することで、空間通路９０を流れる空気が本体２内へ直接に洩れないようにしている。
【００２８】
次に図４、図６〜図８を使ってフィルタ８０について説明する。図４は、本体２の底面２ａの前下吸気口７ｓにフィルタ８０を装着した状態を示す斜視図である。
図６は、フィルタ８０を示す斜視図、図７はフィルタ８０を示す図２のＢ−Ｂ断面図、図８はフィルタ８０を透過して示す拡大斜視図である。
【００２９】
図６において、フィルタ８０は、略長方形で、平面部８０ｂの周囲にフィルタ枠８０ｅを設けている。フィルタ枠８０ｅの左右は、本体２へ着脱する際に、底面２ａに設けたレール状の案内保持部８１により前後に摺動させて着脱する。前端部８０ｃを使用者が指で摘むなどにより引き出し、押し込むものである。後端部８０ｄは案内保持部８１の後部ストッパー（図示せず）などにより当接して、本体２奥側へ入り込まないように規制される部分である。
【００３０】
平面部８０ｂには、前後方向に複数の凸部８０ａを設ける。凸部８０ａは、平面部８０ｂの後方に最前側凸部８０ｇから最後側凸部８０ｆまでの間に凸配置奥行きＬ（図８）の範囲で略正方形の範囲に渡って略球形または円錐形の凸部を設けている。平面部８０ｂには底面２ａに備える左右の前下吸気口７ｓに対応すべく２つ配置する。
【００３１】
図８で前下吸気口７ｓに対する凸部８０ａの前後位置を説明する。凸部８０ａは前下吸気口７ｓよりも広い範囲に設けている。詳しくは、最前側穴７ｓｇから最後側穴７ｓｆの穴配置奥行きＭよりも最前側凸部８０ｇから最後側凸部８０ｆの凸配置奥行きＬを大きくし、なお且つ、最後側穴７ｓｆの位置よりも最後側凸部８０ｆの位置を奥側に配置している。
【００３２】
フィルタ８０は、案内保持部８１によって前から後ろへ摺動させて装着するため、最後側凸部８０ｆによって最前側穴７ｓｇから最後側穴７ｓｆへ順に当接して摺動して最前側凸部８０ｇが最後に当接するものである。
【００３３】
そのため、最前側穴７ｓは最後側凸部８０ｆから最前側凸部８０ｇによって当接し、最後側穴７ｓｆにも、最後側凸部８０ｆとその前側のいくつかの凸部によって当接させるものとした。
【００３４】
図７で前下吸気口７ｓに対する凸部８０ａの上下位置を説明する。フィルタ８０はフィルタ枠８０ｅを案内保持部８１によって案内されることにより、下方向に逃げずに一定の高さで前後するものである。そのため、フィルタ８０の凸部８０ａは、前下吸気口７ｓの下面に当接して前下吸気口７ｓの周囲を摺動して、ゴミを取り除くものである。なお、図７では、本体にフィルタ８０を装着したときに、各凸部８０ａが、前下吸気口７ｓの各孔の位置に対応する位置に設けられている例を示しているが、これと異なる位置になるように凸部８０ａを設けても良い。
【００３５】
本実施例は、以上の構成からなり、次にその動作について説明する。
【００３６】
プレート３に調理鍋１００を載置して誘導加熱する場合は、電源スイッチ１９で電源を入れ、上面表示部１０で表示を確認しながら上面操作部９で操作して、温度や火力を設定して、加熱の開始を操作する。加熱を始めると、制御回路１５０で加熱コイル１１が制御されて、調理鍋１００を加熱する。
【００３７】
また、送風ファン１２が回転して後吸気口７ａと前吸気口７ｂと前下吸気口７ｓから冷却用の空気を吸気する。前吸気口７ｂと前下吸気口７ｓより吸気した空気は、基板ケース１４の下に設けられた空間通路９０を通過する時に、元々温度上昇の低い基板ケース１４の底面１４ａを冷却し、基板ケース１４に収納されている制御回路１５０の電子部品の温度上昇を緩和する。
【００３８】
前下吸気口７ｓは前下吸気口７ｓの下部に配置したフィルタ８０を通して吸気する。
【００３９】
そして、フィルタ８０を外してフィルタ８０の掃除を行うときには、フィルタ８０を取り外すときに、前下吸気口７ｓにフィルタ８０の凸部８０ａを当接して摺動することでゴミを取り除く。そして、フィルタ８０を本体２の底面２ａに設けた案内保持部８１によって案内されて装着する。その際にも、前下吸気口７ｓにフィルタ８０の凸部８０ａを当接して摺動することでゴミを取り除く。
【００４０】
以上説明したように、本実施例によれば、本体２前側から摺動して着脱するときに前下吸気口７ｓの下側から当接して前下吸気口７ｓの周囲を摺動する凸部８０ａを前下吸気口７ｓよりも奥側にまで配置して前下吸気口７ｓの下方を覆うフィルタ８０を設けたので、前下吸気口７ｓに付着したゴミを取り除けることで、ゴミが積もることがなく前下吸気口７ｓから冷却空気が安定して得られ冷却が十分にできる。
【符号の説明】
【００４１】
１    キッチンキャビネット
１ｃ    前面
２    本体
２ａ    底面
３    プレート
７ｓ  前下吸気口
９    上面操作部
１１  加熱コイル
１２ａ  送風ファン
１２ａ  吸込部
１２ｂ  吹出し部
１４  基板ケース
１４ａ  底面
９０  空間通路
８０  フィルタ
８０ａ  凸部
１５０  制御回路
【図１】
2014142096.tif 000003
【図２】
2014142096.tif 000004
【図３】
2014142096.tif 000005
【図４】
2014142096.tif 000006
【図５】
2014142096.tif 000007
【図６】
2014142096.tif 000008
【図７】
2014142096.tif 000009
【図８】
2014142096.tif 000010